(57)【要約】【課題】折り曲げ可能な表示部を変形させた場合に、特定のアプリケーション・プログラムの状態に応じた適切な表示を行うことができる表示制御装置、表示装置、及びプログラムを提供する。【解決手段】表示装置１０は、特定のアプリケーション・プログラムが第１状態であり、かつ、折り曲げ可能な表示部１６を変形させた場合に、表示部１６に第１画面を表示させ、特定のアプリケーション・プログラムが第１状態とは異なる第２状態であり、かつ、表示部１６を変形させた場合に、表示部１６に第１画面とは異なる第２画面を表示させる制御を行う表示制御部３６を備える。【選択図】図５
2020046957.tif 000002
【特許請求の範囲】
【請求項１】
特定のアプリケーション・プログラムが第１状態であり、かつ、折り曲げ可能な表示部を変形させた場合に、前記表示部に第１画面を表示させ、前記特定のアプリケーション・プログラムが前記第１状態とは異なる第２状態であり、かつ、前記表示部を変形させた場合に、前記表示部に前記第１画面とは異なる第２画面を表示させる制御を行う制御部、
を備えた表示制御装置。
【請求項２】
前記第１状態は、予め定められた基本画面を表示している状態であり、
前記第２状態は、前記基本画面から遷移した特定の操作画面を表示している状態である請求項１に記載の表示制御装置。
【請求項３】
前記基本画面は、前記特定のアプリケーション・プログラムの実行が指示された後に表示される、前記特定のアプリケーション・プログラムのホーム画面である請求項２に記載の表示制御装置。
【請求項４】
前記基本画面は、前記特定のアプリケーション・プログラムのアイコンを含む自装置のホーム画面である請求項２に記載の表示制御装置。
【請求項５】
前記第１画面は、前記基本画面及び前記基本画面に関連する別の画面を含み、
前記第２画面は、前記特定の操作画面及び前記特定の操作画面に関連する別の画面を含む請求項２〜４のいずれか１項に記載の表示制御装置。
【請求項６】
前記第１状態は、前記特定のアプリケーション・プログラムがユーザの第１操作に対応する第１操作画面を表示している状態であり、
前記第２状態は、前記特定のアプリケーション・プログラムがユーザの第２操作に対応する第２操作画面を表示している状態である請求項１に記載の表示制御装置。
【請求項７】
前記第１画面は、前記第１操作画面及び前記第１操作画面に関連する別の画面を含み、
前記第２画面は、前記第２操作画面及び前記第２操作画面に関連する別の画面を含む請求項６に記載の表示制御装置。
【請求項８】
前記第１操作画面及び前記第２操作画面の各々に関連する別の画面は、前記特定のアプリケーション・プログラムの機能に関する画面、及び、前記特定のアプリケーション・プログラムとは異なるアプリケーション・プログラムの画面のいずれか一方である請求項７に記載の表示制御装置。
【請求項９】
前記第１状態は、前記特定のアプリケーション・プログラムがユーザの第１操作に対応する第１操作画面を表示している状態であり、
前記第１画面は、前記第１操作画面の動作状態を変更して得られる変更画面及び前記変更画面に関連する別の画面を含む請求項１に記載の表示制御装置。
【請求項１０】
前記第２状態は、前記特定のアプリケーション・プログラムがユーザの第２操作に対応する第２操作画面を表示している状態であり、
前記第２画面は、前記第２操作画面の動作状態を変更して得られる変更画面及び前記変更画面に関連する別の画面を含む請求項９に記載の表示制御装置。
【請求項１１】
前記第１操作画面は、前記特定のアプリケーション・プログラムに対応した第１画面領域と、前記特定のアプリケーション・プログラムとは異なるアプリケーション・プログラムに対応した第２画面領域とを含み、
前記変更画面は、前記第１画面領域の情報のみを表示し、
前記変更画面に関連する別の画面は、前記第２画面領域の情報のみを表示する請求項９又は１０に記載の表示制御装置。
【請求項１２】
前記第１画面領域の前記情報は、動画であり、
前記第２画面領域の前記情報は、文字列である請求項１１に記載の表示制御装置。
【請求項１３】
前記第１画面領域の前記情報は、動画であり、
前記第２画面領域の前記情報は、音声を伴う画像である請求項１１に記載の表示制御装置。
【請求項１４】
前記変更画面は、前記動画、及び、前記動画のミュートされた音声を字幕として表示し、
前記変更画面に関連する別の画面は、前記音声を伴う画像を表示する請求項１３に記載の表示制御装置。
【請求項１５】
請求項１〜１４のいずれか１項に記載の表示制御装置と、
前記表示制御装置により表示が制御される、折り曲げ可能な表示部と、
を備えた表示装置。
【請求項１６】
コンピュータを、請求項１〜１４のいずれか１項に記載の表示制御装置が備える制御部として機能させるためのプログラム。
【発明の詳細な説明】
【技術分野】
【０００１】
本発明は、表示制御装置、表示装置、及びプログラムに関する。
【背景技術】
【０００２】
例えば、特許文献１には、ディスプレイを変形させた場合に、実行される機能に関連する変形ジェスチャーを示すＧＵＩ（Graphic User Interface）ガイドを提供するフレキシブルディスプレイ装置の制御方法が記載されている。この方法は、フレキシブルディスプレイ装置のディスプレイ上でＧＵＩガイドを表示するステップを含む。このＧＵＩガイドは、変形ジェスチャーが行われる時に実行される機能に関連する変形ジェスチャーを示す。
【先行技術文献】
【特許文献】
【０００３】
【特許文献１】特開２０１３−２１８６９５号公報
【発明の概要】
【発明が解決しようとする課題】
【０００４】
ところで、例えば、有機ＥＬ（Electro Luminescence）等を用いた折り曲げ可能な表示部を備えた表示装置がある。この表示装置の中には、１つの画面で特定のアプリケーション・プログラムを起動時に、表示部に折り曲げる等の変形を加えることで、当該アプリケーション・プログラムに関連する機能を呼び出し、２画面で操作を行うことが可能なものがある。この場合、特定のアプリケーション・プログラムと、表示部を変形させた後に呼び出される機能とは１対１で対応付けられている場合が多い。しかしながら、１つのアプリケーション・プログラムであっても、ユーザが行いたい操作は様々である。このため、ユーザがアプリケーション・プログラムを使用する目的や、当該アプリケーション・プログラムの使用シーンに応じた適切な表示を、表示部の変形動作によって行えるようにすることが望まれている。
【０００５】
本発明は、折り曲げ可能な表示部を変形させた場合に、特定のアプリケーション・プログラムの状態に応じた適切な表示を行うことができる表示制御装置、表示装置、及びプログラムを提供することを目的とする。
【課題を解決するための手段】
【０００６】
上記目的を達成するために、請求項１に記載の表示制御装置は、特定のアプリケーション・プログラムが第１状態であり、かつ、折り曲げ可能な表示部を変形させた場合に、前記表示部に第１画面を表示させ、前記特定のアプリケーション・プログラムが前記第１状態とは異なる第２状態であり、かつ、前記表示部を変形させた場合に、前記表示部に前記第１画面とは異なる第２画面を表示させる制御を行う制御部、を備えている。
【０００７】
また、請求項２に記載の表示制御装置は、請求項１に記載の発明において、前記第１状態が、予め定められた基本画面を表示している状態であり、前記第２状態が、前記基本画面から遷移した特定の操作画面を表示している状態であるとされている。
【０００８】
また、請求項３に記載の表示制御装置は、請求項２に記載の発明において、前記基本画面が、前記特定のアプリケーション・プログラムの実行が指示された後に表示される、前記特定のアプリケーション・プログラムのホーム画面であるとされている。
【０００９】
また、請求項４に記載の表示制御装置は、請求項２に記載の発明において、前記基本画面が、前記特定のアプリケーション・プログラムのアイコンを含む自装置のホーム画面であるとされている。
【００１０】
また、請求項５に記載の表示制御装置は、請求項２〜４のいずれか１項に記載の発明において、前記第１画面が、前記基本画面及び前記基本画面に関連する別の画面を含み、前記第２画面が、前記特定の操作画面及び前記特定の操作画面に関連する別の画面を含んでいる。
【００１１】
また、請求項６に記載の表示制御装置は、請求項１に記載の発明において、前記第１状態が、前記特定のアプリケーション・プログラムがユーザの第１操作に対応する第１操作画面を表示している状態であり、前記第２状態が、前記特定のアプリケーション・プログラムがユーザの第２操作に対応する第２操作画面を表示している状態であるとされている。
【００１２】
また、請求項７に記載の表示制御装置は、請求項６に記載の発明において、前記第１画面が、前記第１操作画面及び前記第１操作画面に関連する別の画面を含み、前記第２画面が、前記第２操作画面及び前記第２操作画面に関連する別の画面を含んでいる。
【００１３】
また、請求項８に記載の表示制御装置は、請求項７に記載の発明において、前記第１操作画面及び前記第２操作画面の各々に関連する別の画面が、前記特定のアプリケーション・プログラムの機能に関する画面、及び、前記特定のアプリケーション・プログラムとは異なるアプリケーション・プログラムの画面のいずれか一方であるとされている。
【００１４】
また、請求項９に記載の表示制御装置は、請求項１に記載の発明において、前記第１状態が、前記特定のアプリケーション・プログラムがユーザの第１操作に対応する第１操作画面を表示している状態であり、前記第１画面が、前記第１操作画面の動作状態を変更して得られる変更画面及び前記変更画面に関連する別の画面を含んでいる。
【００１５】
また、請求項１０に記載の表示制御装置は、請求項９に記載の発明において、前記第２状態が、前記特定のアプリケーション・プログラムがユーザの第２操作に対応する第２操作画面を表示している状態であり、前記第２画面が、前記第２操作画面の動作状態を変更して得られる変更画面及び前記変更画面に関連する別の画面を含んでいる。
【００１６】
また、請求項１１に記載の表示制御装置は、請求項９又は１０に記載の発明において、前記第１操作画面が、前記特定のアプリケーション・プログラムに対応した第１画面領域と、前記特定のアプリケーション・プログラムとは異なるアプリケーション・プログラムに対応した第２画面領域とを含み、前記変更画面が、前記第１画面領域の情報のみを表示し、前記変更画面に関連する別の画面が、前記第２画面領域の情報のみを表示する。
【００１７】
また、請求項１２に記載の表示制御装置は、請求項１１に記載の発明において、前記第１画面領域の前記情報が、動画であり、前記第２画面領域の前記情報が、文字列であるとされている。
【００１８】
また、請求項１３に記載の表示制御装置は、請求項１１に記載の発明において、前記第１画面領域の前記情報が、動画であり、前記第２画面領域の前記情報が、音声を伴う画像であるとされている。
【００１９】
また、請求項１４に記載の表示制御装置は、請求項１３に記載の発明において、前記変更画面が、前記動画、及び、前記動画のミュートされた音声を字幕として表示し、前記変更画面に関連する別の画面が、前記音声を伴う画像を表示する。
【００２０】
一方、上記目的を達成するために、請求項１５に記載の表示装置は、請求項１〜１４のいずれか１項に記載の表示制御装置と、前記表示制御装置により表示が制御される、折り曲げ可能な表示部と、を備えている。
【００２１】
更に、上記目的を達成するために、請求項１６に記載のプログラムは、コンピュータを、請求項１〜１４のいずれか１項に記載の表示制御装置が備える制御部として機能させる。
【発明の効果】
【００２２】
請求項１、請求項１５、及び請求項１６に係る発明によれば、折り曲げ可能な表示部を変形させた場合に、特定のアプリケーション・プログラムの状態に応じた適切な表示を行うことができる。
【００２３】
請求項２に係る発明によれば、特定のアプリケーション・プログラムの状態として、基本画面及び特定の操作画面の各々を表示している状態を考慮しない場合と比較して、より適切な表示を行うことができる。
【００２４】
請求項３に係る発明によれば、基本画面が特定のアプリケーション・プログラムのホーム画面ではない場合と比較して、より適切な表示を行うことができる。
【００２５】
請求項４に係る発明によれば、基本画面が自装置のホーム画面ではない場合と比較して、より適切な表示を行うことができる。
【００２６】
請求項５に係る発明によれば、第１画面として、基本画面及びその関連画面、並びに、第２画面として、特定の操作画面及びその関連画面を考慮しない場合と比較して、より適切な表示を行うことができる。
【００２７】
請求項６に係る発明によれば、特定のアプリケーション・プログラムの状態として、第１操作画面及び第２操作画面の各々を表示している状態を考慮しない場合と比較して、より適切な表示を行うことができる。
【００２８】
請求項７に係る発明によれば、第１画面として、第１操作画面及びその関連画面、並びに、第２画面として、第２操作画面及びその関連画面を考慮しない場合と比較して、より適切な表示を行うことができる。
【００２９】
請求項８に係る発明によれば、第１操作画面及び第２操作画面の各々の関連画面として、特定のアプリケーション・プログラムの機能の画面、及び、異なるアプリケーション・プログラムの画面のいずれか一方を考慮しない場合と比較して、より適切な表示を行うことができる。
【００３０】
請求項９に係る発明によれば、第１画面として、第１操作画面の動作状態を変更して得られる変更画面及びその関連画面を考慮しない場合と比較して、より適切な表示を行うことができる。
【００３１】
請求項１０に係る発明によれば、第２画面として、第２操作画面の動作状態を変更して得られる変更画面及びその関連画面を考慮しない場合と比較して、より適切な表示を行うことができる。
【００３２】
請求項１１に係る発明によれば、変更画面として、第１画面領域の情報のみ、及び、関連画面として、第２画面領域の情報のみを考慮しない場合と比較して、より適切な表示を行うことができる。
【００３３】
請求項１２に係る発明によれば、第１画面領域の情報が動画、及び、第２画面領域の情報が文字列ではない場合と比較して、より適切な表示を行うことができる。
【００３４】
請求項１３に係る発明によれば、第１画面領域の情報が動画、及び、第２画面領域の情報が音声を伴う画像ではない場合と比較して、より適切な表示を行うことができる。
【００３５】
請求項１４に係る発明によれば、変更画面が動画及び動画のミュートされた音声の字幕、関連画面が音声を伴う画像を表示しない場合と比較して、より適切な表示を行うことができる。
【図面の簡単な説明】
【００３６】
【図１】（Ａ）は、第１の実施形態に係る表示装置を開いた状態の一例を示す斜視図である。（Ｂ）は、第１の実施形態に係る表示装置を折り曲げた状態の一例を示す斜視図である。（Ｃ）は、第１の実施形態に係る表示装置を閉じた状態の一例を示す斜視図である。
【図２】実施形態に係る表示装置が備える表示部の構成の一例を示す図である。
【図３】実施形態に係る表示装置が備える表示部から変形を検知する構成の一例を示す図である。
【図４】第１の実施形態に係る表示装置の電気的な構成の一例を示すブロック図である。
【図５】第１の実施形態に係る表示装置の機能的な構成の一例を示すブロック図である。
【図６】実施形態に係るデータテーブルの一例を示す図である。
【図７】第１の実施形態に係る表示制御プログラムによる処理の流れの一例を示すフローチャートである。
【図８】第１の実施形態に係る表示制御プログラムにおけるアプリの状態に応じた画面表示処理の流れの一例を示すフローチャートである。
【図９】（Ａ）は、第１の実施形態に係るアプリの第１状態及び第１画面の一例を示す正面図である。（Ｂ）は、第１の実施形態に係るアプリの第２状態及び第２画面の一例を示す正面図である。
【図１０】第１の実施形態に係るアプリの第１状態の他の例を示す正面図である。
【図１１】（Ａ）は、第２の実施形態に係るアプリの第１状態及び第１画面の一例を示す正面図である。（Ｂ）は、第２の実施形態に係るアプリの第２状態及び第２画面の一例を示す正面図である。
【図１２】第３の実施形態に係るアプリの第１状態及び第１画面の一例を示す正面図である。
【図１３】第３の実施形態に係るアプリの第１状態及び第１画面の他の例を示す正面図である。
【図１４】（Ａ）は、第３の実施形態に係るアプリの第１状態及び第１画面の更に他の例を示す正面図である。（Ｂ）は、第３の実施形態に係るアプリの第２状態及び第２画面の一例を示す正面図である。
【図１５】第４の実施形態に係るアプリの第１状態及び第１画面の一例を示す正面図である。
【図１６】第４の実施形態に係るアプリの第１画面の他の例を示す正面図である。
【図１７】第４の実施形態に係るアプリの第１状態及び第１画面の他の例を示す正面図である。
【図１８】第５の実施形態に係るアプリの第１状態及び第１画面の一例を示す正面図である。
【図１９】第５の実施形態に係るアプリの第１状態及び第１画面の他の例を示す正面図である。
【図２０】（Ａ）は、第６の実施形態に係るアプリの第１状態及び第１画面の一例を示す正面図である。（Ｂ）は、第６の実施形態に係るアプリの第２状態及び第２画面の一例を示す正面図である。（Ｃ）は、第６の実施形態に係るアプリの第３状態及び第３画面の一例を示す正面図である。
【図２１】第６の実施形態に係るアプリの第４状態及び第４画面の一例を示す正面図である。
【図２２】第７の実施形態に係る表示装置を開いた状態の一例を示す斜視図である。
【図２３】第８の実施形態に係る表示装置を開いた状態の一例を示す斜視図である。
【発明を実施するための形態】
【００３７】
以下、図面を参照して、本発明を実施するための形態の一例について詳細に説明する。
【００３８】
[第１の実施形態]
図１（Ａ）は、第１の実施形態に係る表示装置１０を開いた状態の一例を示す斜視図である。図１（Ｂ）は、第１の実施形態に係る表示装置１０を折り曲げた状態の一例を示す斜視図である。図１（Ｃ）は、第１の実施形態に係る表示装置１０を閉じた状態の一例を示す斜視図である。
【００３９】
本実施形態に係る表示装置１０には、一例として、スマートフォン、タブレット端末、携帯電話機、ＰＤＡ（Personal Digital Assistant）等の各種の携帯可能な端末装置が適用される。表示装置１０は、折り曲げ可能な表示部１６を備えている。表示装置１０は、通話機能等の様々な機能を備えていてもよいが、本実施形態では、表示装置１０の表示機能に着目し、表示機能に関する形態及び作用について説明する。
【００４０】
図１（Ａ）に示すように、表示部１６が開いた状態では表示領域は１つとされている。一方、図１（Ｂ）に示すように、表示部１６が折り曲げられた状態では表示領域は２つとされる。つまり、表示部１６は、第１表示領域１６Ａ及び第２表示領域１６Ｂにより構成されている。例えば、第１表示領域１６Ａに特定のアプリケーション・プログラム（以下、単に「アプリ」ともいう。）の画面を表示させつつ、第２表示領域１６Ｂに特定のアプリに関連する機能の画面を表示させることができる。また、図１（Ｂ）に示す２画面の状態の表示部１６を、一例として、図１（Ｃ）に示すように、一旦閉じた後に、図１（Ａ）に示すように、１８０度に開くようにすると、２画面の状態から１画面の状態に戻すことが可能とされる。
【００４１】
なお、表示部１６を折り曲げる位置は、第１表示領域１６Ａの面積と第２表示領域１６Ｂの面積とが略等しくなる中央部分に限定されない。例えば、第１表示領域１６Ａの面積が第２表示領域１６Ｂの面積よりも大きくなる位置、あるいは、第１表示領域１６Ａの面積が第２表示領域１６Ｂの面積よりも小さくなる位置で折り曲げるようにしてもよい。
【００４２】
図２は、本実施形態に係る表示装置１０が備える表示部１６の構成の一例を示す図である。
図２に示すように、本実施形態に係る表示部１６は、基板１６１と、駆動部１６２と、表示パネル１６３と、保護層１６４と、を備えている。本実施形態に係る表示部１６は、所謂フレキシブルディスプレイである。
【００４３】
表示部１６は、既存の表示装置が有する表示特性をそのまま保持しながら、曲げたり、畳んだり、あるいは巻いたり等の変形を加えることができる。
【００４４】
基板１６１には、外部からの圧力によって変形される、柔軟性を有するプラスチック薄膜が適用される。このプラスチック薄膜の材料には、一例として、ポリイミド、ポリカーボネート、ポリエステル等の多様な樹脂が挙げられる。なお、基板１６１には、プラスチック薄膜以外にも、例えば、柔軟性を有するガラス薄膜や、金属薄膜等を適用してもよい。
【００４５】
駆動部１６２は、表示パネル１６３を駆動させる。具体的に、駆動部１６２は、表示パネル１６３を構成する画素に駆動電圧を印加する。駆動部１６２には、一例として、ＴＦＴ（Thin Film Transistor），ＬＴＰＳＴＦＴ（Low Temperature Poly Silicon TFT）、ＯＴＦＴ（Organic TFT）等が適用される。駆動部１６２は、表示パネル１６３の形態に応じて各種の形態を取り得る。一例として、表示パネル１６３は、複数の画素セルを含む有機発光体及びその有機発光体の両面を覆う電極層を有している。この場合、駆動部１６２は、表示パネル１６３の各電極セルに対応する複数のトランジスタを含む。
【００４６】
表示パネル１６３には、有機発光ダイオードの他にも、一例として、ＥＬ、ＥＰＤ（Electrophoretic Display）、ＥＣＤ（Electrochromic Display）、ＬＣＤ（Liquid Crystal Display）、ＡＭＬＣＤ（Active Matrix LCD）、ＰＤＰ（Plasma Display Panel）等を適用してもよい。
【００４７】
保護層１６４は、表示パネル１６３を保護する。保護層１６４の材料には、一例として、ＺｒＯ（酸化ジルコニウム）、ＣｅＯ２（酸化セリウム）、ＴｈＯ２（酸化トリウム）等が挙げられる。保護層１６４は、透明なフィルム状に形成され、表示パネル１６３の表面全体を覆うようにして設けられる。
【００４８】
図３は、本実施形態に係る表示装置１０が備える表示部１６から変形を検知する構成の一例を示す図である。
図３に示すように、本実施形態に係る表示部１６には、複数個のバー状のセンサが横方向及び縦方向の各々に配置されて格子形態をなしている。
【００４９】
図３に示す表示部１６は、横方向に延びる複数個のセンサＳ１ｈ〜Ｓ５ｈ（本実施形態では５個）が配置され、縦方向に延びる複数個のセンサＳ１ｖ〜Ｓ５ｖ（本実施形態では５個）が配置されている。これらのセンサＳ１ｈ〜Ｓ５ｈ、Ｓ１ｖ〜Ｓ５ｖには、変形具合に応じて抵抗値が異なる特性を持つセンサが適用される。つまり、このセンサは、ストレインゲージとして実現される。このストレインゲージは、かかる力の大きさに応じて抵抗が大きく変わる金属又は半導体を用いて、その抵抗値の変化に応じて測定対象の表面の変形を検知する。一般的に、金属等の材料は、外部からの力に応じて長さが長くなると抵抗値が増加し、長さが短くなると抵抗値が減少する特性がある。このため、抵抗値の変化を検知することで、表示部１６の変形の有無が判定される。なお、本実施形態では、センサＳ１ｈ〜Ｓ５ｈ、Ｓ１ｖ〜Ｓ５ｖの一例として、電気抵抗式センサが適用される。また、以下の説明では、これらのセンサＳ１ｈ〜Ｓ５ｈ、Ｓ１ｖ〜Ｓ５ｖを総称して、センサＳ１〜Ｓ５ともいう。
【００５０】
ここで、表示部１６の変形としては、一般的な折り曲げ（ベンディング：bending）による変形が含まれる。なお、ここでいう折り曲げとは、折り曲げられた面が互いに接触しない状態であり、一方の面と他方の面とのなす角度が一例として６０度以上１５０度以下とする。
【００５１】
図４は、第１の実施形態に係る表示装置１０の電気的な構成の一例を示すブロック図である。
図４に示すように、本実施形態に係る表示装置１０は、表示制御装置１１と、表示部１６と、操作部１８と、通信部２０と、アクチュエータ部２２と、を備えている。また、表示制御装置１１は、制御部１２と、記憶部１４と、を備えている。
【００５２】
制御部１２は、ＣＰＵ（Central Processing Unit）１２Ａ、ＲＯＭ（Read Only Memory）１２Ｂ、ＲＡＭ（Random Access Memory）１２Ｃ、及び入出力インターフェース（Ｉ／Ｏ）１２Ｄを備えており、これら各部がバスを介して各々接続されている。
【００５３】
Ｉ／Ｏ１２Ｄには、記憶部１４と、表示部１６と、操作部１８と、通信部２０と、アクチュエータ部２２と、を含む各機能部が接続されている。これらの各機能部は、Ｉ／Ｏ１２Ｄを介して、ＣＰＵ１２Ａと相互に通信可能とされる。
【００５４】
制御部１２は、表示装置１０の一部の動作を制御するサブ制御部として構成されてもよいし、表示装置１０の全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００５５】
記憶部１４としては、例えば、ＨＤＤ（Hard Disk Drive）、ＳＳＤ（Solid State Drive）、フラッシュメモリ等が用いられる。記憶部１４には、本実施形態に係る表示制御プログラム１４Ａが記憶される。なお、この表示制御プログラム１４Ａは、ＲＯＭ１２Ｂに記憶されていてもよい。また、記憶部１４には、本実施形態に係る表示制御に用いるデータテーブル１４Ｂが記憶されている。
【００５６】
表示制御プログラム１４Ａは、例えば、表示装置１０に予めインストールされていてもよい。表示制御プログラム１４Ａは、不揮発性の記憶媒体に記憶して、又はネットワークを介して配布して、表示装置１０に適宜インストールすることで実現してもよい。なお、不揮発性の記憶媒体の例としては、ＣＤ-ＲＯＭ（Compact Disc Read Only Memory）、光磁気ディスク、ＨＤＤ、ＤＶＤ-ＲＯＭ（Digital Versatile Disc Read Only Memory）、フラッシュメモリ、メモリカード等が想定される。
【００５７】
表示部１６には、例えば、上述した有機ＥＬディスプレイ等が用いられる。表示部１６には、ユーザが使用するアプリに応じて様々な情報が表示される。操作部１８には、操作入力用のタッチパネル等が用いられる。表示部１６及び操作部１８は、一体的に設けられており、表示装置１０のユーザから各種の指示を受け付ける。表示部１６は、ユーザから受け付けた指示に応じて実行された処理の結果や、処理に対する通知等の各種の情報を表示する。
【００５８】
通信部２０は、インターネットや、ＬＡＮ（Local Area Network）、ＷＡＮ（Wide Area Network）等のネットワークに接続されており、画像形成装置や他のＰＣ等の外部機器との間でネットワークを介して通信が可能とされる。
【００５９】
アクチュエータ部２２は、表示部１６の変形を操作する。具体的には、例えば、表示部１６が変形された場合に、変形された形状を維持する。つまり、表示部１６に物理的な力が加わり、形状が変形された場合、表示部１６は元の平たい形状に戻ろうとする逆方向の力を受ける。この場合、アクチュエータ部２２は、制御部１２による制御に従って、逆方向の力に対応する分だけの物理的な力を付与し、表示部１６の変形された形状を維持する。
【００６０】
ところで、上述したように、ユーザがアプリを使用する目的や、当該アプリの使用シーンに応じた適切な表示を、表示部１６の変形動作によって行えるようにすることが望まれている。
【００６１】
このため、本実施形態に係る表示装置１０のＣＰＵ１２Ａは、記憶部１４に記憶されている表示制御プログラム１４ＡをＲＡＭ１２Ｃに書き込んで実行することにより、図５に示す各部として機能する。
【００６２】
図５は、第１の実施形態に係る表示装置１０の機能的な構成の一例を示すブロック図である。
図５に示すように、本実施形態に係る表示装置１０のＣＰＵ１２Ａは、受付部３０、検知部３２、判定部３４、及び表示制御部３６として機能する。なお、表示制御部３６は、制御部の一例である。
【００６３】
本実施形態に係る受付部３０は、操作部１８を介して、ユーザからの操作入力を受け付ける。
【００６４】
本実施形態に係る検知部３２は、表示部１６の変形を検知する。具体的に、検知部３２は、上述のセンサＳ１〜Ｓ５（図３参照）に印加される電圧の大きさ、又は、センサＳ１〜Ｓ５に流れる電流の大きさを用いて抵抗値を検知し、その抵抗値の大きさに応じてセンサＳ１〜Ｓ５の位置における変形状態を検知する。
【００６５】
本実施形態に係る判定部３４は、ユーザが使用するアプリの状態を判定する。具体的に、判定部３４は、ユーザが使用するアプリが第１状態であるか、第２状態であるか、あるいはそれ以外の状態であるかを判定する。この第１状態とは、一例として、予め定められた基本画面を表示している状態である。予め定められた基本画面とは、一例として、アプリの実行が指示された後に表示される、アプリのホーム画面、あるいは、アプリのアイコンを含む自装置（表示装置１０）のホーム画面である。また、この第２状態とは、第１状態とは異なる状態であり、一例として、上記基本画面から遷移した特定の操作画面を表示している状態である。これらの第１状態及び第２状態の各々に対応する画面については、一例として、アプリ毎に所望の画面をユーザが設定できるようにしておくとよい。
【００６６】
本実施形態に係る表示制御部３６は、アプリが第１状態であり、かつ、表示部１６を変形させた場合に、表示部１６に第１画面を表示させ、アプリが第２状態であり、かつ、表示部１６を変形させた場合に、表示部１６に第２画面を表示させる制御を行う。第２画面は、第１画面とは異なる画面である。この第１画面は、一例として、上記基本画面及びその基本画面に関連する別の画面（関連画面）を含む。また、この第２画面は、一例として、上記特定の操作画面及びその特定の操作画面に関連する別の画面（関連画面）を含む。
【００６７】
図６は、本実施形態に係るデータテーブル１４Ｂの一例を示す図である。
図６に示すように、本実施形態に係るデータテーブル１４Ｂは、アプリの状態に対応付けて、表示部１６の変形後に表示させる画面を登録している。
【００６８】
すなわち、表示制御部３６は、アプリが第１状態であれば、図６に示すデータテーブル１４Ｂから第１画面を特定し、アプリが第２状態であれば、図６に示すデータテーブル１４Ｂから第２画面を特定する。
【００６９】
次に、図７及び図８を参照して、第１の実施形態に係る表示装置１０の作用を説明する。
【００７０】
図７は、第１の実施形態に係る表示制御プログラム１４Ａによる処理の流れの一例を示すフローチャートである。
また、図８は、第１の実施形態に係る表示制御プログラム１４Ａにおけるアプリの状態に応じた画面表示処理の流れの一例を示すフローチャートである。
【００７１】
まず、表示装置１０が起動され、表示部１６に自装置のホーム画面が表示されると、表示制御プログラム１４Ａが起動され、以下の各ステップを実行する。なお、このときの表示装置１０の形状は、一例として、図１（Ａ）に示す平たい形状とする。
【００７２】
図７のステップ１００では、検知部３２が、表示部１６に設けられたセンサＳ１〜Ｓ５（図３参照）を起動させ、表示部１６の変形の監視を開始する。
【００７３】
ステップ１０２では、受付部３０が、操作部１８を介して、ユーザからの操作入力を受け付ける。本実施形態では、一例として、自装置のホーム画面から特定のアプリを起動させる操作入力を受け付ける。
【００７４】
ステップ１０４では、検知部３２が、表示部１６の変形を検知したか否かを判定する。表示部１６の変形を検知しないと判定した場合（否定判定の場合）、ステップ１０６に移行し、表示部１６の変形を検知したと判定した場合（肯定判定の場合）、ステップ１１０に移行する。なお、変形時の表示部１６の形状は、一例として、上述の図１（Ｂ）に示す折り曲げられた形状とする。
【００７５】
ステップ１０６では、表示制御部３６が、ステップ１０２で受け付けた操作入力に応じた画面を表示部１６に表示させる制御を行う。
【００７６】
ステップ１０８では、表示制御部３６が、起動したアプリを終了するか否かを判定する。アプリを終了しないと判定した場合（否定判定の場合）、ステップ１０２に戻り処理を繰り返し、アプリを終了すると判定した場合（肯定判定の場合）、本表示制御プログラム１４Ａによる一連の処理を終了する。
【００７７】
一方、ステップ１１０では、表示制御部３６が、アプリの状態に応じた画面を表示部１６に表示させる制御を行い、ステップ１０８に移行する。このステップ１１０では、表示制御プログラム１４Ａのサブルーチンとして、図８に示す各ステップが実行される。
【００７８】
図８のステップ１２０では、判定部３４が、アプリが第１状態であるか否かを判定する。アプリが第１状態であると判定した場合（肯定判定の場合）、ステップ１２２に移行し、アプリが第１状態ではないと判定した場合（否定判定の場合）、ステップ１２４に移行する。本実施形態において、アプリの第１状態は、一例として、上述したように、アプリのホーム画面が表示部１６に表示されている状態である。
【００７９】
ステップ１２２では、表示制御部３６が、一例として、上述の図６に示すデータテーブル１４Ｂから第１画面を特定し、特定した第１画面を表示部１６に表示させる制御を行う。本実施形態において、第１画面は、一例として、上述したように、第１表示領域１６Ａに表示される、上記ホーム画面と、第２表示領域１６Ｂに表示される、上記ホーム画面の関連画面と、を含んでいる。
【００８０】
ステップ１２４では、判定部３４が、アプリが第２状態であるか否かを判定する。アプリが第２状態であると判定した場合（肯定判定の場合）、ステップ１２６に移行し、アプリが第２状態ではないと判定した場合（否定判定の場合）、図７に示すステップ１０８にリターンする。本実施形態において、アプリの第２状態は、一例として、上述したように、上記ホーム画面から遷移した特定の操作画面が表示部１６に表示されている状態である。
【００８１】
ステップ１２６では、表示制御部３６が、一例として、上述の図６に示すデータテーブル１４Ｂから第２画面を特定し、特定した第２画面を表示部１６に表示させる制御を行う。本実施形態において、第２画面は、一例として、上述したように、第１表示領域１６Ａに表示される、上記特定の操作画面と、第２表示領域１６Ｂに表示される、上記特定の操作画面の関連画面と、を含んでいる。
【００８２】
ステップ１２８では、受付部３０が、操作部１８を介して、ユーザからの操作入力を受け付ける。つまり、上記第１画面又は第２画面に対する操作入力を受け付ける。
【００８３】
ステップ１３０では、検知部３２が、前の画面に戻る変形を検知したか否かを判定する。前の画面に戻る変形を検知しないと判定した場合（否定判定の場合）、ステップ１３２に移行し、前の画面に戻る変形を検知したと判定した場合（肯定判定の場合）、ステップ１３４に移行する。
【００８４】
ステップ１３２では、表示制御部３６が、ステップ１２８で受け付けた操作入力に応じた画面を表示部１６に表示させる制御を行い、ステップ１２８に戻り処理を繰り返す。
【００８５】
ステップ１３４では、表示制御部３６が、前の画面を表示部１６に表示させる制御を行い、図７に示すステップ１０８にリターンする。
【００８６】
次に、図９（Ａ）及び図９（Ｂ）を参照して、第１の実施形態に係るアプリの第１状態及び第１画面、並びに、アプリの第２状態及び第２画面の具体的な例を説明する。
【００８７】
図９（Ａ）は、第１の実施形態に係るアプリの第１状態及び第１画面の一例を示す正面図である。
【００８８】
図９（Ａ）の左図に示すように、アプリの第１状態は、アプリの基本画面４０が表示部１６に表示されている状態である。この基本画面４０は、一例として、ショッピングアプリのホーム画面である。このとき、表示装置１０の形状は、上述の図１（Ａ）に示す平たい形状であり、表示部１６の変形を検知すると、図９（Ａ）の右図に示す第１画面Ｄ１が表示される。なお、表示部１６の変形によって、表示装置１０の形状は、上述の図１（Ｂ）に示す折り曲げられた形状とされる。
【００８９】
図９（Ａ）の右図に示すように、第１画面Ｄ１として、基本画面４０が第１表示領域１６Ａに表示され、基本画面４０の関連画面４１が第２表示領域１６Ｂに表示される。この関連画面４１は、一例として、ショッピングアプリのホーム画面に対応付けられている「おすすめ商品」の画面である。
【００９０】
ここで、上述の図１（Ａ）〜図１（Ｃ）を参照して、表示部１６の変形で呼び出した画面から元の画面に戻す操作について具体的に説明する。
【００９１】
例えば、図１（Ｂ）に示すように、表示部１６が折り曲げられた状態で、第１表示領域１６Ａの画面に対して、一例として、タップ操作した後に、図１（Ａ）に示すように、表示部１６を１８０度に開く操作を行う。この場合、第１表示領域１６Ａの画面が全画面表示に戻るようにしてもよい。
【００９２】
また、上述したように、図１（Ｂ）に示すように、表示部１６が折り曲げられた状態から、一旦図１（Ｃ）に示す閉じた状態にした後に、図１（Ａ）に示すように、表示部１６を１８０度開く操作を行った場合に、第１表示領域１６の画面を全画面表示に戻すようにしてもよい。
【００９３】
また、図１（Ｂ）に示すように、表示部１６が折り曲げられた状態から、一旦図１（Ｃ）に示す閉じた状態にした後に、表示部１６を変形時の角度まで開いた場合に、閉じる前の画面が表示されるようにしてもよい。
【００９４】
次に、表示部１６が２画面状態になった場合の操作について具体的に説明する。例えば、ユーザがある文書を読んでいるときに、表示部１６の変形を行い、第１表示領域１６Ａに原文を表示させ、第２表示領域１６Ｂに翻訳文を表示させる場合を想定する。
【００９５】
例えば、表示部１６の変形後、第１表示領域１６Ａの画面又は第２表示領域１６Ｂの画面に対してのフリック操作は、２つの画面に対する操作とする。このフリック操作により例えばページめくりが２画面で同時に行われる。
【００９６】
また、表示部１６の変形後、第１表示領域１６Ａの画面又は第２表示領域１６Ｂの画面に対してのタップ操作は、タップ操作された画面に対する操作とする。
【００９７】
また、表示部１６の変形後、第１表示領域１６Ａの画面と第２表示領域１６Ｂの画面との境界部分に対しての操作（フリック操作、タップ操作等）は、２つの画面に対する操作としてもよい。
【００９８】
図９（Ｂ）は、第１の実施形態に係るアプリの第２状態及び第２画面の一例を示す正面図である。
【００９９】
図９（Ｂ）の左図に示すように、アプリの第２状態は、基本画面４０から遷移した操作画面４２が表示部１６に表示されている状態である。この操作画面４２は、一例として、ショッピングアプリの買い物終了画面である。このとき、表示装置１０の形状は、上述の図１（Ａ）に示す平たい形状であり、表示部１６の変形を検知すると、図９（Ｂ）の右図に示す第２画面Ｄ２が表示される。なお、表示部１６の変形によって、表示装置１０の形状は、上述の図１（Ｂ）に示す折り曲げられた形状とされる。
【０１００】
図９（Ｂ）の右図に示すように、第２画面Ｄ２として、操作画面４２が第１表示領域１６Ａに表示され、操作画面４２の関連画面４３が第２表示領域１６Ｂに表示される。この関連画面４３は、一例として、ショッピングアプリの買い物終了画面に対応付けられている「最近１週間の購入履歴」の画面である。
【０１０１】
図１０は、第１の実施形態に係るアプリの第１状態の他の例を示す正面図である。
図１０に示すように、アプリの第１状態は、自装置の基本画面４４が表示部１６に表示されている状態としてもよい。この基本画面４４は、一例として、上記ショッピングアプリのアイコン（本実施形態では「アプリＡ」のアイコン。）を含む自装置のホーム画面である。
【０１０２】
このように本実施形態によれば、折り曲げ可能な表示部を変形させた場合に、特定のアプリの状態、つまり、ユーザがアプリを使用する目的や、当該アプリの使用シーンに応じた適切な表示が行われる。
【０１０３】
[第２の実施形態]
本実施形態では、アプリの第１状態及び第２状態が共に、ユーザからの操作に対応する操作画面を表示している状態である場合について説明する。
【０１０４】
本実施形態において、アプリの第１状態は、特定のアプリがユーザの第１操作に対応する第１操作画面を表示している状態であり、アプリの第２状態は、特定のアプリがユーザの第２操作に対応する第２操作画面を表示している状態である。
【０１０５】
また、第１画面は、第１操作画面及び第１操作画面の関連画面を含み、第２画面は、第２操作画面及び第２操作画面の関連画面を含んでいる。
【０１０６】
次に、図１１（Ａ）及び図１１（Ｂ）を参照して、第２の実施形態に係るアプリの第１状態及び第１画面、並びに、アプリの第２状態及び第２画面の具体的な例を説明する。
【０１０７】
図１１（Ａ）は、第２の実施形態に係るアプリの第１状態及び第１画面の一例を示す正面図である。
【０１０８】
図１１（Ａ）の左図に示すように、アプリの第１状態は、アプリの第１操作画面４５が表示部１６に表示されている状態である。この第１操作画面４５は、一例として、音楽アプリによるアルバムＡの曲リスト画面である。この第１操作画面４５は、ユーザの第１操作に対応して表示される。このとき、表示装置１０の形状は、上述の図１（Ａ）に示す平たい形状であり、表示部１６の変形を検知すると、図１１（Ａ）の右図に示す第１画面Ｄ１が表示される。なお、表示部１６の変形によって、表示装置１０の形状は、上述の図１（Ｂ）に示す折り曲げられた形状とされる。
【０１０９】
図１１（Ａ）の右図に示すように、第１画面Ｄ１として、第１操作画面４５が第１表示領域１６Ａに表示され、第１操作画面４５の関連画面４６が第２表示領域１６Ｂに表示される。この関連画面４６は、一例として、音楽アプリによるアルバムＡの曲リスト画面に対応付けられている「アルバムＡの作成者の他のアルバム」の画面である。
【０１１０】
図１１（Ｂ）は、第２の実施形態に係るアプリの第２状態及び第２画面の一例を示す正面図である。
【０１１１】
図１１（Ｂ）の左図に示すように、アプリの第２状態は、アプリの第２操作画面４７が表示部１６に表示されている状態である。この第２操作画面４７は、一例として、音楽アプリによる曲Ａの歌詞画面である。この第２操作画面４７は、ユーザの第２操作に対応して表示される。このとき、表示装置１０の形状は、上述の図１（Ａ）に示す平たい形状であり、表示部１６の変形を検知すると、図１１（Ｂ）の右図に示す第２画面Ｄ２が表示される。なお、表示部１６の変形によって、表示装置１０の形状は、上述の図１（Ｂ）に示す折り曲げられた形状とされる。
【０１１２】
図１１（Ｂ）の右図に示すように、第２画面Ｄ２として、第２操作画面４７が第１表示領域１６Ａに表示され、第２操作画面４７の関連画面４８が第２表示領域１６Ｂに表示される。この関連画面４８は、一例として、音楽アプリによる曲Ａの歌詞画面に対応付けられている「同じジャンルのおすすめ曲」の画面である。
【０１１３】
[第３の実施形態]
本実施形態では、アプリの操作画面の関連画面として、当該アプリの機能に関する画面を表示する場合について説明する。
【０１１４】
本実施形態において、アプリの第１操作画面及び第２操作画面の各々についての関連画面は、当該アプリの機能に関する画面である。
【０１１５】
次に、図１２及び図１３を参照して、第３の実施形態に係るアプリの第１状態及び第１画面の具体的な例を説明する。なお、図１２及び図１３に示す例では、アプリの第２状態及び第２画面についての説明は省略する。
【０１１６】
図１２は、第３の実施形態に係るアプリの第１状態及び第１画面の一例を示す正面図である。
【０１１７】
図１２の左図に示すように、アプリの第１状態は、アプリの第１操作画面４９が表示部１６に表示されている状態である。この第１操作画面４９は、一例として、動画アプリによる動画再生中画面である。この第１操作画面４９は、ユーザの第１操作に対応して表示される。このとき、表示装置１０の形状は、上述の図１（Ａ）に示す平たい形状であり、表示部１６の変形を検知すると、図１２の右図に示す第１画面Ｄ１が表示される。なお、表示部１６の変形によって、表示装置１０の形状は、上述の図１（Ｂ）に示す折り曲げられた形状とされる。
【０１１８】
図１２の右図に示すように、第１画面Ｄ１として、第１操作画面４９が第１表示領域１６Ａに表示され、第１操作画面４９の関連画面５０が第２表示領域１６Ｂに表示される。この関連画面５０は、一例として、動画アプリによる動画再生中画面に対応付けられている「動画再生履歴」の画面である。
【０１１９】
図１３は、第３の実施形態に係るアプリの第１状態及び第１画面の他の例を示す正面図である。
【０１２０】
図１３の左図に示すように、アプリの第１状態は、アプリの第１操作画面５１が表示部１６に表示されている状態である。この第１操作画面５１は、一例として、ファッション通販アプリによる商品検索画面である。この第１操作画面５１は、ユーザの第１操作に対応して表示される。このとき、表示装置１０の形状は、上述の図１（Ａ）に示す平たい形状であり、表示部１６の変形を検知すると、図１３の右図に示す第１画面Ｄ１が表示される。なお、表示部１６の変形によって、表示装置１０の形状は、上述の図１（Ｂ）に示す折り曲げられた形状とされる。
【０１２１】
図１３の右図に示すように、第１画面Ｄ１として、第１操作画面５１が第１表示領域１６Ａに表示され、第１操作画面５１の関連画面５２が第２表示領域１６Ｂに表示される。この関連画面５２は、一例として、ファッション通販アプリによる商品検索画面に対応付けられている「検索履歴」の画面である。
【０１２２】
更に、図１４（Ａ）及び図１４（Ｂ）を参照して、第３の実施形態に係るアプリの第１状態及び第１画面、並びに、アプリの第２状態及び第２画面の具体的な例を説明する。
【０１２３】
図１４（Ａ）は、第３の実施形態に係るアプリの第１状態及び第１画面の更に他の例を示す正面図である。
【０１２４】
図１４（Ａ）の上図に示すように、アプリの第１状態は、アプリの第１操作画面５３が表示部１６に表示されている状態である。この第１操作画面５３は、一例として、動画アプリによる動画再生中画面である。この第１操作画面５３は、ユーザの第１操作に対応して表示される。このとき、表示装置１０の形状は、上述の図１（Ａ）に示す平たい形状であり、表示部１６の変形を検知すると、図１４（Ａ）の下図に示す第１画面Ｄ１が表示される。なお、表示部１６の変形によって、表示装置１０の形状は、上述の図１（Ｂ）に示す折り曲げられた形状とされる。
【０１２５】
図１４（Ａ）の下図に示すように、第１画面Ｄ１として、第１操作画面５３が第１表示領域１６Ａに表示され、第１操作画面５３の関連画面５４が第２表示領域１６Ｂに表示される。この関連画面５４は、一例として、動画アプリによる動画再生中画面に対応付けられている「作品紹介」の画面である。
【０１２６】
図１４（Ｂ）は、第３の実施形態に係るアプリの第２状態及び第２画面の一例を示す正面図である。
【０１２７】
図１４（Ｂ）の上図に示すように、アプリの第２状態は、アプリの第２操作画面５５が表示部１６に表示されている状態である。この第２操作画面５５は、一例として、動画アプリによる動画停止中画面である。この第２操作画面５５は、ユーザの第２操作に対応して表示される。このとき、表示装置１０の形状は、上述の図１（Ａ）に示す平たい形状であり、表示部１６の変形を検知すると、図１４（Ｂ）の下図に示す第２画面Ｄ２が表示される。なお、表示部１６の変形によって、表示装置１０の形状は、上述の図１（Ｂ）に示す折り曲げられた形状とされる。
【０１２８】
図１４（Ｂ）の下図に示すように、第２画面Ｄ２として、第２操作画面５５が第１表示領域１６Ａに表示され、第２操作画面５５の関連画面５６が第２表示領域１６Ｂに表示される。この関連画面５６は、一例として、動画アプリの動画停止中画面に対応付けられている「おすすめ作品ランキング」の画面である。
【０１２９】
[第４の実施形態]
本実施形態では、アプリの操作画面の関連画面として、当該アプリとは異なるアプリの画面を表示する場合について説明する。
【０１３０】
本実施形態において、アプリの第１操作画面及び第２操作画面の各々についての関連画面は、当該アプリとは異なるアプリの画面である。
【０１３１】
次に、図１５、図１６、及び図１７を参照して、第４の実施形態に係るアプリの第１状態及び第１画面の具体的な例を説明する。なお、図１５、図１６、及び図１７に示す例では、アプリの第２状態及び第２画面についての説明は省略する。
【０１３２】
図１５は、第４の実施形態に係るアプリの第１状態及び第１画面の一例を示す正面図である。
【０１３３】
図１５の左図に示すように、アプリの第１状態は、アプリの第１操作画面５７が表示部１６に表示されている状態である。この第１操作画面５７は、一例として、ショッピングアプリの決済処理画面である。この第１操作画面５７は、ユーザの第１操作に対応して表示される。このとき、表示装置１０の形状は、上述の図１（Ａ）に示す平たい形状であり、表示部１６の変形を検知すると、図１５の右図に示す第１画面Ｄ１が表示される。なお、表示部１６の変形によって、表示装置１０の形状は、上述の図１（Ｂ）に示す折り曲げられた形状とされる。
【０１３４】
図１５の右図に示すように、第１画面Ｄ１として、第１操作画面５７が第１表示領域１６Ａに表示され、第１操作画面５７の関連画面５８が第２表示領域１６Ｂに表示される。この関連画面５８は、一例として、ショッピングアプリとは異なる家計簿アプリの画面である。すなわち、本実施形態では、ショッピングアプリで決済処理を行った後に折り曲げ操作をすると、決済処理画面に関連する家計簿アプリが起動するように設定されている。
【０１３５】
図１６は、第４の実施形態に係るアプリの第１画面の他の例を示す正面図である。
図１６に示すように、第１画面Ｄ１として、第１操作画面５７の関連画面５９が第１表示領域１６Ａに表示され、関連画面５８が第２表示領域１６Ｂに表示される。この関連画面５９は、一例として、ショッピングアプリの「購買履歴」の画面である。このように、第１画面Ｄ１として、アプリの機能に関する画面である関連画面５９と、当該アプリとは異なるアプリの画面である関連画面５８とを表示させてもよい。
【０１３６】
図１７は、第４の実施形態に係るアプリの第１状態及び第１画面の他の例を示す正面図である。
【０１３７】
図１７の左図に示すように、アプリの第１状態は、アプリの第１操作画面６０が表示部１６に表示されている状態である。この第１操作画面６０は、一例として、動画アプリに対応した第１画面領域６０Ａと、動画アプリとは異なるメッセージアプリに対応した第２画面領域６０Ｂとを含む画面である。第１画面領域６０Ａには、再生中の動画が表示され、第２画面領域６０Ｂには、受信したメッセージが表示される。このとき、表示装置１０の形状は、上述の図１（Ａ）に示す平たい形状であり、表示部１６の変形を検知すると、図１７の右図に示す第１画面Ｄ１が表示される。なお、表示部１６の変形によって、表示装置１０の形状は、上述の図１（Ｂ）に示す折り曲げられた形状とされる。
【０１３８】
図１７の右図に示すように、第１画面Ｄ１として、第１操作画面６０のうちの第１画面領域６０Ａの情報が第１表示領域１６Ａに表示され、第１操作画面６０の関連画面として第２画面領域６０Ｂの情報が第２表示領域１６Ｂに表示される。図１７に示す例では、第１画面領域６０Ａの情報は、再生中の動画であり、第２画面領域６０Ｂの情報は、文字列である。
【０１３９】
[第５の実施形態]
本実施形態では、変形を検知した場合に、第１画面として、元の画面と同一の画面を表示させるのではなく、元の画面の動作状態を変更した変更画面を表示する場合について説明する。
【０１４０】
本実施形態において、アプリの第１状態は、当該アプリがユーザの第１操作に対応する第１操作画面を表示している状態であり、第１画面は、第１操作画面の動作状態を変更して得られる変更画面及び変更画面の関連画面を含んでいる。
【０１４１】
また、アプリの第２状態は、当該アプリがユーザの第２操作に対応する第２操作画面を表示している状態であり、第２画面は、第２操作画面の動作状態を変更して得られる変更画面及び変更画面の関連画面を含んでいる。
【０１４２】
また、第１操作画面は、特定のアプリに対応した第１画面領域と、特定のアプリとは異なるアプリに対応した第２画面領域とを含んでいる。変更画面は、第１画面領域の情報のみを表示し、変更画面の関連画面は、第２画面領域の情報のみを表示する。
【０１４３】
次に、図１８及び図１９を参照して、第５の実施形態に係るアプリの第１状態及び第１画面の具体的な例を説明する。なお、図１８及び図１９に示す例では、アプリの第２状態及び第２画面についての説明は省略する。
【０１４４】
図１８は、第５の実施形態に係るアプリの第１状態及び第１画面の一例を示す正面図である。
【０１４５】
図１８の左図に示すように、アプリの第１状態は、アプリの第１操作画面６０が表示部１６に表示されている状態である。この第１操作画面６０は、図１７に示す例と同様に、動画アプリに対応した第１画面領域６０Ａと、メッセージアプリに対応した第２画面領域６０Ｂとを含む画面である。このとき、表示装置１０の形状は、上述の図１（Ａ）に示す平たい形状であり、表示部１６の変形を検知すると、図１８の右図に示す第１画面Ｄ１が表示される。なお、表示部１６の変形によって、表示装置１０の形状は、上述の図１（Ｂ）に示す折り曲げられた形状とされる。
【０１４６】
図１８の右図に示すように、第１画面Ｄ１として、変更画面６１が第１表示領域１６Ａに表示され、変更画面６１の関連画面６２が第２表示領域１６Ｂに表示される。この変更画面６１は、第１操作画面６０の動作状態を変更して得られる画面である。図１８に示す例では、動作状態が再生から停止に変更されている。また、変更画面６１は、第１画面領域６０Ａの情報のみを表示し、関連画面６２は、第２画面領域６０Ｂの情報のみを表示する。図１８に示す例では、第１画面領域６０Ａの情報は、停止中の動画であり、第２画面領域６０Ｂの情報は、文字列である。
【０１４７】
図１９は、第５の実施形態に係るアプリの第１状態及び第１画面の他の例を示す正面図である。
【０１４８】
図１９の左図に示すように、アプリの第１状態は、アプリの第１操作画面６３が表示部１６に表示されている状態である。この第１操作画面６３は、一例として、動画アプリに対応した第１画面領域６３Ａと、動画アプリとは異なるテレビ電話アプリに対応した第２画面領域６３Ｂとを含む画面である。第１画面領域６３Ａには、再生中の調理動画が音声有りで表示され、第２画面領域６３Ｂには、受信したテレビ電話の相手の画像が表示される。このとき、表示装置１０の形状は、上述の図１（Ａ）に示す平たい形状であり、表示部１６の変形を検知すると、図１９の右図に示す第１画面Ｄ１が表示される。なお、表示部１６の変形によって、表示装置１０の形状は、上述の図１（Ｂ）に示す折り曲げられた形状とされる。
【０１４９】
図１９の右図に示すように、第１画面Ｄ１として、変更画面６４が第１表示領域１６Ａに表示され、変更画面６４の関連画面６６が第２表示領域１６Ｂに表示される。この変更画面６４は、第１操作画面６３の動作状態を変更して得られる画面である。図１９に示す例の場合、変更画面６４は、再生中の調理動画、及び、動画のミュートされた音声６５Ａを字幕６５Ｂとして表示する。また、変更画面６４は、第１画面領域６３Ａの情報のみを表示し、関連画面６６は、第２画面領域６３Ｂの情報のみを表示する。図１９に示す例では、第１画面領域６３Ａの情報は、再生中の動画であり、第２画面領域６３Ｂの情報は、音声を伴う画像である。
【０１５０】
[第６の実施形態]
本実施形態では、アプリが第３状態であり、かつ、変形を検知した場合に、第３画面を表示する場合について説明する。
【０１５１】
本実施形態に係る表示制御部３６は、アプリが第１状態であり、かつ、表示部１６を変形させた場合に、表示部１６に第１画面を表示させ、アプリが第２状態であり、かつ、表示部１６を変形させた場合に、表示部１６に第２画面を表示させ、更に、アプリが第３状態であり、かつ、表示部１６を変形させた場合に、表示部１６に第３画面を表示させる制御を行う。
【０１５２】
次に、図２０（Ａ）、図２０（Ｂ）、及び図２０（Ｃ）を参照して、第６の実施形態に係るアプリの第１状態及び第１画面、アプリの第２状態及び第２画面、並びに、アプリの第３状態及び第３画面の具体的な例を説明する。
【０１５３】
図２０（Ａ）は、第６の実施形態に係るアプリの第１状態及び第１画面の一例を示す正面図である。
【０１５４】
図２０（Ａ）の左図に示すように、アプリの第１状態は、アプリの第１操作画面６８が表示部１６に表示されている状態である。この第１操作画面６８は、一例として、ショッピングアプリの商品リスト画面である。このとき、表示装置１０の形状は、上述の図１（Ａ）に示す平たい形状であり、表示部１６の変形を検知すると、図２０（Ａ）の右図に示す第１画面Ｄ１が表示される。なお、表示部１６の変形によって、表示装置１０の形状は、上述の図１（Ｂ）に示す折り曲げられた形状とされる。
【０１５５】
図２０（Ａ）の右図に示すように、第１画面Ｄ１として、第１操作画面６８が第１表示領域１６Ａに表示され、第１操作画面６８の関連画面６９が第２表示領域１６Ｂに表示される。この関連画面６９は、一例として、ショッピングアプリの商品リスト画面に対応付けられている「お気に入り商品リスト」の画面である。なお、この「お気に入り商品リスト」の画面に対して、一例として、ダブルタップ等の選択操作が行われた場合に、変形状態から平らな状態に戻さなくても、「お気に入り商品リスト」の画面を全画面表示（１画面表示）に切り替えるようにしてもよい。また、「お気に入り商品リスト」の画面に対して、単なるタップの選択操作が行われた場合は、２画面状態のまま、「お気に入り商品リスト」の画面への操作として受け付けてもよい。
【０１５６】
図２０（Ｂ）は、第６の実施形態に係るアプリの第２状態及び第２画面の一例を示す正面図である。
【０１５７】
図２０（Ｂ）の左図に示すように、アプリの第２状態は、第１操作画面６８から遷移した第２操作画面７０が表示部１６に表示されている状態である。この第２操作画面７０は、一例として、ショッピングアプリの商品詳細画面である。このとき、表示装置１０の形状は、上述の図１（Ａ）に示す平たい形状であり、表示部１６の変形を検知すると、図２０（Ｂ）の右図に示す第２画面Ｄ２が表示される。なお、表示部１６の変形によって、表示装置１０の形状は、上述の図１（Ｂ）に示す折り曲げられた形状とされる。
【０１５８】
図２０（Ｂ）の右図に示すように、第２画面Ｄ２として、第２操作画面７０が第１表示領域１６Ａに表示され、第２操作画面７０の関連画面７１が第２表示領域１６Ｂに表示される。この関連画面７１は、一例として、ショッピングアプリの商品詳細画面に対応付けられている「類似商品リスト」の画面である。
【０１５９】
図２０（Ｃ）は、第６の実施形態に係るアプリの第３状態及び第３画面の一例を示す正面図である。
【０１６０】
図２０（Ｃ）の左図に示すように、アプリの第３状態は、第２操作画面７０から遷移した第３操作画面７２が表示部１６に表示されている状態である。この第３操作画面７２は、一例として、ショッピングアプリの購入完了画面である。このとき、表示装置１０の形状は、上述の図１（Ａ）に示す平たい形状であり、表示部１６の変形を検知すると、図２０（Ｃ）の右図に示す第３画面Ｄ３が表示される。なお、表示部１６の変形によって、表示装置１０の形状は、上述の図１（Ｂ）に示す折り曲げられた形状とされる。
【０１６１】
図２０（Ｃ）の右図に示すように、第３画面Ｄ３として、第３操作画面７２が第１表示領域１６Ａに表示され、第３操作画面７２の関連画面７３が第２表示領域１６Ｂに表示される。この関連画面７３は、一例として、ショッピングアプリの購入完了画面に対応付けられている「購入履歴」の画面である。
【０１６２】
図２１は、第６の実施形態に係るアプリの第４状態及び第４画面の一例を示す正面図である。
【０１６３】
図２１の左図に示すように、アプリの第４状態は、第３操作画面７２から遷移した第４操作画面７３が表示部１６に表示されている状態である。この第４操作画面７３は、一例として、ショッピングアプリの「購入履歴」の画面、この例では、関連画面７３と同一の画面である。このとき、表示装置１０の形状は、上述の図１（Ａ）に示す平たい形状であり、表示部１６の変形を検知すると、図２１の右図に示す第４画面Ｄ４が表示される。なお、表示部１６の変形によって、表示装置１０の形状は、上述の図１（Ｂ）に示す折り曲げられた形状とされる。
【０１６４】
図２１の右図に示すように、第４画面Ｄ４として、第４操作画面７３が第１表示領域１６Ａに表示され、第４操作画面７３の関連画面７４が第２表示領域１６Ｂに表示される。この関連画面７４は、一例として、ショッピングアプリの「購入履歴」」の画面に対応付けられ、かつ、別のアプリである「家計簿アプリ」の画面である。なお、商品の購入が完了した場合に、自動的に第２表示領域１６Ｂに「家計簿アプリ」が表示されるようにしてもよい。
【０１６５】
[第７の実施形態]
本実施形態では、変形後の画面が、メイン画面及びサブ画面の２画面構成の場合について説明する。
【０１６６】
図２２は、第７の実施形態に係る表示装置８０を開いた状態の一例を示す斜視図である。
図２２に示すように、本実施形態に係る表示装置８０の表示部１６は、第１表示領域１６Ａに表示されるメイン画面と、第２表示領域１６Ｂに表示されるサブ画面とによる２画面構成とされている。
【０１６７】
図２２に示す表示装置８０では、上記第１の実施形態に係る表示装置１０の２画面構成とは異なり、画面サイズの異なるメイン画面とサブ画面とを含んでいる。すなわち、本実施形態に係る表示装置８０では、独立した２画面構成ではなく、メイン画面にサブ画面が重畳されて、２画面構成としている。
【０１６８】
[第８の実施形態]
本実施形態では、表示装置がヒンジ機構を用いた２画面構成の場合について説明する。
【０１６９】
図２３は、第８の実施形態に係る表示装置９０を開いた状態の一例を示す斜視図である。
図２３に示すように、本実施形態に係る表示装置９０の表示部１６は、第１表示領域１６Ａの画面と、第２表示領域１６Ｂの画面とがヒンジ機構９２を用いて連結されている。
【０１７０】
図２３に示す表示装置９０では、上記第１の実施形態に係る表示装置１０の２画面構成とは異なり、ヒンジ機構９２を用いて２画面構成とされている。すなわち、上記第１の実施形態に係る表示装置１０では、表示部１６自体をフレキシブルに変形させる形態としたが、本実施形態に係る表示装置９０では、ヒンジ機構９２を用いて表示部１６を変形させる形態としている。
【０１７１】
以上、実施形態に係る表示制御装置を備えた表示装置を例示して説明した。実施形態は、表示装置が備える各部の機能をコンピュータに実行させるためのプログラムの形態としてもよい。実施形態は、このプログラムを記憶したコンピュータが読み取り可能な記憶媒体の形態としてもよい。
【０１７２】
その他、上記実施形態で説明した表示装置の構成は、一例であり、主旨を逸脱しない範囲内において状況に応じて変更してもよい。
【０１７３】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１７４】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１７５】
１０、８０、９０  表示装置
１１   表示制御装置
１２   制御部
１２Ａ ＣＰＵ
１２Ｂ ＲＯＭ
１２Ｃ ＲＡＭ
１２Ｄ Ｉ／Ｏ
１４   記憶部
１４Ａ 表示制御プログラム
１４Ｂ データテーブル
１６   表示部
１６Ａ 第１表示領域
１６Ｂ 第２表示領域
１８   操作部
２０   通信部
２２   アクチュエータ部
３０   受付部
３２   検知部
３４   判定部
３６   表示制御部
４０、４４  基本画面
４１、４３、４６、４８  関連画面
４２   操作画面
４５   第１操作画面
４７   第２操作画面
９２   ヒンジ機構
【図１】
2020046957.tif 000003
【図２】
2020046957.tif 000004
【図３】
2020046957.tif 000005
【図４】
2020046957.tif 000006
【図５】
2020046957.tif 000007
【図６】
2020046957.tif 000008
【図７】
2020046957.tif 000009
【図８】
2020046957.tif 000010
【図９】
2020046957.tif 000011
【図１０】
2020046957.tif 000012
【図１１】
2020046957.tif 000013
【図１２】
2020046957.tif 000014
【図１３】
2020046957.tif 000015
【図１４】
2020046957.tif 000016
【図１５】
2020046957.tif 000017
【図１６】
2020046957.tif 000018
【図１７】
2020046957.tif 000019
【図１８】
2020046957.tif 000020
【図１９】
2020046957.tif 000021
【図２０】
2020046957.tif 000022
【図２１】
2020046957.tif 000023
【図２２】
2020046957.tif 000024
【図２３】
2020046957.tif 000025